(57)【要約】【課題】使用状況に合わせて消費電力を低減することができる電気機器及びコンピュータプログラムを提供する。【解決手段】制御部１は、操作部２又はリモコン受光部３から電源オンの操作を受け付けた時刻の前後３０分の時間帯をクイックスタートモードに設定する。モード「１」（クイックスタートモード）は、ＤＶＤ９に対する電力供給を停止し、ＣＰＵ８、ＨＤＤ１０、ファン１１、チューナ１２に対して電力を供給しておき、消費電力を抑制しつつ、起動時間の短縮を最大限にする。モード「２」（クイックスタートモード）は、ＤＶＤ９、ＨＤＤ１０に対する電力供給を停止し、ＣＰＵ８、ファン１１、チューナ１２に対して電力を供給しておき、消費電力をさらに抑制する。モード「０」（非クイックスタートモード）は、ＣＰＵ８、ＤＶＤ９、ＨＤＤ１０、ファン１１、チューナ１２に対する電力供給を停止し、ＤＶＤレコーダ１００全体の電力消費を最小限にする。【選択図】図１
2010045972.tif 000002
【特許請求の範囲】
【請求項１】
個別に給電可能な１又は複数の機能部と、所定の機能部への給電が停止された省電力状態及び所定の機能部へ給電された作動可能状態間の移行を制御する制御手段とを備える電気機器において、
操作指示が受け付けられた受付時刻を特定する手段と、
該手段で特定された受付時刻を記憶する手段と
を備え、
前記制御手段は、
給電の操作指示を受け付けた場合、記憶された受付時刻になる都度、前記操作指示の受付時刻の前後所定の時間帯を作動可能状態にするように構成してあることを特徴とする電気機器。
【請求項２】
個別に給電可能な１又は複数の機能部と、所定の機能部への給電が停止された省電力状態及び所定の機能部へ給電された作動可能状態間の移行を制御する制御手段とを備える電気機器において、
操作指示が受け付けられた受付時刻を特定する手段と、
該手段で特定された受付時刻を記憶する手段と
を備え、
前記制御手段は、
給電停止の操作指示を受け付けた場合、記憶された受付時刻になる都度、前記操作指示の受付時刻の前所定の時間帯を作動可能状態にするように構成してあることを特徴とする電気機器。
【請求項３】
操作指示の受付曜日を特定する手段と、
該手段で特定された受付曜日を記憶する手段と
を備え、
前記制御手段は、
記憶された受付曜日及び受付時刻になる都度、該受付曜日及び受付時刻に基づいて、作動可能状態又は省電力状態への移行を制御するように構成してあることを特徴とする請求項１又は請求項２に記載の電気機器。
【請求項４】
所定の期間、所定の時間帯毎に操作指示の受付頻度を計数する手段と、
該手段で計数された受付頻度に応じて、前記時間帯で給電される機能部数の増減を制御する手段と
を備えることを特徴とする請求項１から請求項３までのいずれか１項に記載の電気機器。
【請求項５】
操作指示の受付時刻から所定の期間経過した場合、計数された受付頻度から前記操作指示に基づく受付数を減算する手段を備えることを特徴とする請求項４に記載の電気機器。
【請求項６】
コンピュータに、個別に給電可能な所定の機能部への給電が停止された省電力状態及び所定の機能部へ給電された作動可能状態間の移行を制御させるためのコンピュータプログラムにおいて、
コンピュータを、
操作指示が受け付けられた受付時刻を特定する手段と、
給電の操作指示を受け付けた場合、前記手段で特定された受付時刻になる都度、前記操作指示の受付時刻の前後所定の時間帯を作動可能状態にする手段として機能させることを特徴とするコンピュータプログラム。
【発明の詳細な説明】
【技術分野】
【０００１】
本発明は、消費電力が抑制された省電力モード及び起動時間を短縮するためのクイックスタートモードを有する電気機器に関し、特にクイックスタートモードにおける消費電力を低減する電気機器に関する。
【背景技術】
【０００２】
ビデオレコーダに代表されるＡＶ機器は、テレビ番組の録画、録画した番組の再生、又はダビングなどを行うため様々な機能部品が搭載されているものの、これらの機能部品は常時使用されるものではない。このようなＡＶ機器は、他の電気機器と同様に、機器で消費される電力を低減するために、機器内部の使用されていない機能部品への電力供給を停止して、機器全体の消費電力を抑制する省電力モードを実現する省電力回路を備えているものがある。
【０００３】
一方、見たい番組を再生又は録画する場合、その番組を逃さずタイミングよく再生又は録画するためには、電源オンの操作から所要の機能部品が起動完了するまでの時間をできるだけ短くする必要がある。このため、省電力モードに加えて、これらの機能部品に予め電力を供給しておき、起動時間を短縮するクイックスタートモードを備える電気機器もある。例えば、このようなクイックスタートモード（通常動作状態）と省電力モード（スタンバイ動作状態）とを切り替えることができる電気機器が提案されている（特許文献１参照）。
【先行技術文献】
【特許文献】
【０００４】
【特許文献１】特開２００１−１８６６５７号公報
【発明の概要】
【発明が解決しようとする課題】
【０００５】
しかしながら、特許文献１の電気機器にあっては、クイックスタートモードと省電力モードとを切り替えることができるものの、省電力モードに切り替えられた場合、電気機器内部の機能部品の起動完了には時間を要する。このため、例えば、様々な時間帯で見たい番組を再生又は録画する場合、その番組を逃さずタイミングよく再生又は録画するためには、常にクイックスタートモードに切り替えておく必要があり、電気機器の消費電力を低減することができない虞があり、確実に消費電力を低減することが望まれていた。
【０００６】
本発明は斯かる事情に鑑みてなされたものであり、操作指示が受け付けられた受付曜日及び受付時刻を記憶しておき、給電の操作指示を受け付けた場合、記憶された受付曜日及び受付時刻になる都度、受付時刻の前後所定の時間帯を作動可能状態にすることにより、消費電力を低減しつつ、利用者の使用状況に合わせて起動時間を短縮することができる電気機器及びコンピュータプログラムを提供することを目的とする。
【課題を解決するための手段】
【０００７】
本発明に係る電気機器は、個別に給電可能な１又は複数の機能部と、所定の機能部への給電が停止された省電力状態及び所定の機能部へ給電された作動可能状態間の移行を制御する制御手段とを備える電気機器において、操作指示が受け付けられた受付時刻を特定する手段と、該手段で特定された受付時刻を記憶する手段とを備え、前記制御手段は、給電の操作指示を受け付けた場合、記憶された受付時刻になる都度、前記操作指示の受付時刻の前後所定の時間帯を作動可能状態にするように構成してあることを特徴とする。
【０００８】
本発明に係る電気機器は、個別に給電可能な１又は複数の機能部と、所定の機能部への給電が停止された省電力状態及び所定の機能部へ給電された作動可能状態間の移行を制御する制御手段とを備える電気機器において、操作指示が受け付けられた受付時刻を特定する手段と、該手段で特定された受付時刻を記憶する手段とを備え、前記制御手段は、給電停止の操作指示を受け付けた場合、記憶された受付時刻になる都度、前記操作指示の受付時刻の前所定の時間帯を作動可能状態にするように構成してあることを特徴とする。
【０００９】
本発明に係る電気機器は、操作指示の受付曜日を特定する手段と、該手段で特定された受付曜日を記憶する手段とを備え、前記制御手段は、記憶された受付曜日及び受付時刻になる都度、該受付曜日及び受付時刻に基づいて、作動可能状態又は省電力状態への移行を制御するように構成してあることを特徴とする。
【００１０】
本発明に係る電気機器は、所定の期間、所定の時間帯毎に操作指示の受付頻度を計数する手段と、該手段で計数された受付頻度に応じて、前記時間帯で給電される機能部数の増減を制御する手段とを備えることを特徴とする。
【００１１】
本発明に係る電気機器は、操作指示の受付時刻から所定の期間経過した場合、計数された受付頻度から前記操作指示に基づく受付数を減算する手段を備えることを特徴とする。
【００１２】
本発明に係るコンピュータプログラムは、コンピュータに、個別に給電可能な所定の機能部への給電が停止された省電力状態及び所定の機能部へ給電された作動可能状態間の移行を制御させるためのコンピュータプログラムにおいて、コンピュータを、操作指示が受け付けられた受付時刻を特定する手段と、給電の操作指示を受け付けた場合、前記手段で特定された受付時刻になる都度、前記操作指示の受付時刻の前後所定の時間帯を作動可能状態にする手段として機能させることを特徴とする。
【００１３】
本発明にあっては、操作指示（例えば、給電、すなわち電源オンの操作、給電停止、すなわち電源オフの操作など）を受け付けた場合、操作指示が受け付けられた受付時刻を記憶する。制御手段は、受付手段で給電（電源オン）の操作指示を受け付けた場合、記憶された受付時刻になる都度、前記操作指示の受付時刻の前後所定の時間帯を作動可能状態に移行させる。例えば、電源オンの操作指示を受け付けた時点の前後３０分の時間帯を作動可能状態に移行させる。これにより、消費電力を低減しつつ、利用者の使用状況に合わせて起動時間を短縮することができる。
【００１４】
本発明にあっては、操作指示（例えば、給電、すなわち電源オンの操作、給電停止、すなわち電源オフの操作など）を受け付けた場合、操作指示が受け付けられた受付時刻を記憶する。制御手段は、受付手段で給電停止（電源オフ）の操作指示を受け付けた場合、記憶された受付時刻になる都度、前記操作指示の受付時刻の前所定の時間帯を作動可能状態に移行させる。例えば、電源オフの操作指示を受け付けた時点の前１時間の時間帯を作動可能状態に移行させる。これにより、消費電力を低減しつつ、利用者の使用状況に合わせて起動時間を短縮することができる。
【００１５】
本発明にあっては、操作指示を受け付けた場合、操作指示を受け付けた受付曜日及び受付時刻を記憶する。制御手段は、記憶された受付曜日及び受付時刻になる都度、該受付曜日及び受付時刻に基づいて、作動可能状態と省電力状態との間の移行を制御する。これにより、操作指示に基づく使用状況に応じて、作動可能状態又は省電力状態へ移行させる。
【００１６】
本発明にあっては、所定の期間（例えば、１カ月）、所定の時間帯毎に操作指示の受付頻度を計数する。計数された受付頻度に応じて、前記時間帯で給電される機能部数の増減を制御する。例えば、ある時間帯での受付頻度が所定の閾値より大きい場合、前記時間帯において給電される機能部の数を多くする。これにより、利用者が操作を行った場合に、前記機能部を直ちに使用可能にする。一方、ある時間帯での受付頻度が所定の閾値より小さい場合、前記時間帯において給電される機能部の数を少なくする。これにより、電力消費を低減する。
【００１７】
本発明にあっては、操作指示の受付時刻から所定の期間（例えば、１カ月）経過した場合、計数された受付頻度から前記操作指示に基づく受付数を減算する。すなわち、現時点からさかのぼって１カ月以上経過した操作指示は、受付頻度から除外する。これにより、利用者の使用状況が変化した場合でも、利用者の使用状況に合わせて、消費電力を低減する。
【発明の効果】
【００１８】
本発明によれば、操作指示を受け付けた受付時刻を記憶しておき、給電の操作指示を受け付けた場合、記憶された受付時刻になる都度、受付時刻の前後所定の時間帯を作動可能状態にすることにより、曜日により利用者の使用状況が異なる場合でも（例えば、月曜日から金曜日と、土曜日又は日曜日とで使用時間帯が異なるような場合）、使用状況に合わせてきめ細かく消費電力を低減することができるとともに、使用したい時に直ちに起動させて利用者の使用状況に合わせて起動時間を短縮することができる。また、給電停止の操作指示を受け付けた場合、記憶された受付時刻になる都度、受付時刻の前所定の時間帯を作動可能状態にすることにより、使用状況に合わせてきめ細かく消費電力を低減することができるとともに、使用したい時に直ちに起動させて利用者の使用状況に合わせて起動時間を短縮することができる。
【図面の簡単な説明】
【００１９】
【図１】本発明に係るＤＶＤレコーダの要部構成を示すブロック図である。
【図２】クイックスタートモードの例を示す説明図である。
【図３】クイックスタートモードの設定例を示す説明図である。
【図４】操作指示の受付頻度を示す説明図である。
【図５】モードテーブルの構成を示す説明図である。
【図６】モード設定の処理手順を示すフローチャートである。
【図７】モードテーブル更新の処理手順を示すフローチャートである。
【図８】電力供給の処理手順を示すフローチャートである。
【図９】クイックスタートモードの他の設定例を示す説明図である。
【発明を実施するための形態】
【００２０】
以下、本発明に係る電気機器の一例としてのＤＶＤレコーダ１００を実施の形態を示す図面に基づいて説明する。図１は本発明に係るＤＶＤレコーダ１００の要部構成を示すブロック図である。図において、１はマイクロプロセッサにより構成される制御部である。制御部１は、記憶部６に記憶されたコンピュータプログラムをＲＡＭ５にロードして実行することにより、ＤＶＤレコーダ１００全体の消費電力を制御する処理を行う。
【００２１】
ＤＶＤレコーダ１００は、主要な機能部品である、ＣＰＵ８、ＤＶＤ９、ＨＤＤ１０、ファン１１、チューナ１２などを備えている。ＣＰＵ８は、番組の録画、番組の再生、録画した番組のダビング、番組予約などＤＶＤレコーダ１００の種々の機能を制御する。ＤＶＤ９は、受信した番組をＤＶＤディスクに録画するとともに、一旦ＨＤＤ１０に録画した番組をＤＶＤディスクにダビングするためのものである。
【００２２】
ＨＤＤ１０は、受信した番組又は予め録画予約された番組などを録画する。ファン１１は、ＤＶＤレコーダ１００の筐体内部で発生した熱を外部に排出して、内部の温度上昇を抑制する。チューナ１２は、例えば、アナログ放送又はデジタル放送などの受信回路を備え、受信した信号に基づいて、番組を液晶モニタ（不図示）などに再生するとともに、エンコーダ（不図示）などにより受信した信号を所定の信号に変換して、ＨＤＤ１０又はＤＶＤ９へ記録することにより、所望の番組を録画する。
【００２３】
ＣＰＵ８、ＤＶＤ９、ＨＤＤ１０、ファン１１、チューナ１２は、電源部７から供給される電力（例えば、所定の直流電圧）により作動する。電源部７は、制御部１から入力される制御信号に基づいて、ＣＰＵ８、ＤＶＤ９、ＨＤＤ１０、ファン１１、チューナ１２に対して、夫々別個独立に電力を供給する。例えば、電源部７は、制御部１から入力された制御信号に基づいて、ＤＶＤ９、ＨＤＤ１０に対して電力供給を停止し、ＣＰＵ８、ファン１１、チューナ１２に対して電力を供給することができる。ＣＰＵ８、ＨＤＤ１０、ファン１１、チューナ１２夫々を、電源部７から予め電力が供給されている状態にしておくことにより、各機能部品を使用可能状態にしておくことができ、最初から電源投入して立ち上げた場合に比べて、起動に要する時間を短縮することができる。
【００２４】
操作部２は、電源入り操作のための電源オンボタン、電源切り操作のための電源オフボタン、録画する番組の設定ボタン、番組を録画する録画ボタン、録画した番組を高速ダビングするダビングボタン、録画した番組を再生する再生ボタン、再生を停止する再生停止ボタン、録画を停止する録画停止ボタンなどの各操作ボタン（又は操作キー、操作スイッチなど）を備え、各操作ボタンが操作された場合に、操作を示す信号を制御部１へ出力する。
【００２５】
リモコン受光部３は、赤外線受光素子、復調回路などを備え、操作部２と同様の各種操作ボタンを備えたリモコン（不図示）から送信された信号を受信し、受信した信号を復調し、復調後の信号を制御部１へ出力する。
【００２６】
タイマ４は、カレンダ機能及び時計機能を備え、現時点の年月日、曜日、時分秒を計時して、計時結果を制御部１へ出力する。
【００２７】
制御部１は、ＤＶＤレコーダ１００全体の消費電力を複数の状態（モード）に区分して、電力消費量の低減と起動時間の短縮とを制御する。例えば、クイックスタートモードと非クイックスタートモード（省電力モード）とをモード「０」、「１」、「２」により区分して起動時間の短縮及び消費電力の低減を制御することができる。
【００２８】
図２はクイックスタートモードの例を示す説明図である。モード「１」（クイックスタートモード）は、ＤＶＤ９に対する電力供給を停止し、ＣＰＵ８、ＨＤＤ１０、ファン１１、チューナ１２に対して電力を供給しておき、直ちに使用できる状態にしておくことにより、消費電力を抑制しつつ、起動時間の短縮を最大限にする。
【００２９】
モード「０」（非クイックスタートモード、すなわち省電力モード）は、ＣＰＵ８、ＤＶＤ９、ＨＤＤ１０、ファン１１、チューナ１２に対する電力供給を停止し、ＤＶＤレコーダ１００全体の電力消費を最小限にする。なお、この場合、ＣＰＵ８は、例えば、動作速度を減速させる省電力モードにしておき、電力を供給させてもよい。また、ファン１１の回転速度を減速させてもよい。
【００３０】
モード「２」（クイックスタートモード）は、ＤＶＤ９、ＨＤＤ１０に対する電力供給を停止し、ＣＰＵ８、ファン１１、チューナ１２に対して電力を供給しておき、直ちに使用する状態にすることにより、消費電力を抑制しつつ、起動時間の短縮を図り、両者のバランスをよくする。この場合、ファン１１の回転速度を減速させてもよい。
【００３１】
制御部１は、予め１日２４時間すべての時間帯を省電力モード（非クイックスタートモード）に初期設定しておく。制御部１は、操作部２又はリモコン受光部３から電源オンの操作を受け付けた場合、タイマ４から、電源オンの操作を受け付けた時点の時刻を取得する。制御部１は、取得した時刻の前後３０分の時間帯をクイックスタートモードに設定する。
【００３２】
図３はクイックスタートモードの設定例を示す説明図である。図において、横軸は１日の時間帯を０〜２４時で示している。図３（ａ）に示すように、初期状態においては、１日２４時間すべての時間帯は、非クイックスタートモード、すなわち省電力モードに設定してある。
【００３３】
利用者により、例えば、１８時に電源オンの操作がなされた場合、制御部１は、１７時３０分から１８時３０分までの時間帯をクイックスタートモードに設定する（図３（ｂ））。これにより、ＤＶＤレコーダ１００は、毎日１７時３０分になった時点でクイックスタートモードに移行し、１８時３０分になった時点で省電力モードに移行する。
【００３４】
また、利用者により、例えば、１９時３０分に電源オンの操作がなされた場合、制御部１は、１９時から２０時までの時間帯をクイックスタートモードに設定する（図３（ｃ））。これにより、ＤＶＤレコーダ１００は、毎日１７時３０分になった時点でクイックスタートモードに移行し、１８時３０分になった時点で省電力モードに移行し、１９時になった時点で再度クイックスタートモードに移行し、２０時になった時点で再度省電力モードに移行する。
【００３５】
また、利用者により、例えば、２０時３０分に電源オンの操作がなされた場合、制御部１は、２０時から２１時までの時間帯をクイックスタートモードに設定する（図３（ｄ））。これにより、ＤＶＤレコーダ１００は、毎日１７時３０分になった時点でクイックスタートモードに移行し、１８時３０分になった時点で省電力モードに移行し、１９時になった時点で再度クイックスタートモードに移行し、２１時になった時点で再度省電力モードに移行する。以下、同様にしてクイックスタートモードの設定が行われ、利用者が使用する時間帯に合わせてクイックスタートモードを設定するとともに、利用者が使用しない時間帯は省電力モードに設定して消費電力を低減する。
【００３６】
また、制御部１は、１日の時間帯だけでなく、例えば、１カ月の間、曜日毎の２４時間を所定の時間帯（例えば、１時間間隔）に区切り、区切られた時間帯毎に、操作部２又はリモコン受光部３から受け付けた電源オンの操作指示の受付頻度を計数する。制御部１は、計数した受付頻度に応じて、クイックスタートモード（モード「１」、「２」）を選択設定する。制御部１は、曜日及び時間帯毎に各モードが設定されたモードテーブルを記憶部６に記憶する。
【００３７】
図４は操作指示の受付頻度を示す説明図である。図において、横軸は曜日毎に１日の時間帯を０〜２４時で示している。縦軸は、２４時間を２４等分した時間帯毎に、過去１カ月の間に操作指示（例えば、電源オン操作）を何回受け付けたかを示す受付頻度を表している。例えば、日曜日の午前０時から１時の間では、過去１カ月の間に、７回の操作指示を受け付けていることを示し、日曜日の午前８時から９時の間では、過去１カ月の間に、２回の操作指示を受け付けていることを示し、日曜日の午前９時から１０時の間では、過去１カ月の間に、３回の操作指示を受け付けていることを示す。
【００３８】
図５はモードテーブルの構成を示す説明図である。図に示すように、モードテーブルは、曜日、時間帯、操作指示の受付頻度、モード、及び操作指示の受付日時などの各欄で構成されている。制御部１は、曜日及び時間帯毎に操作指示の受付頻度の大小に応じて、クイックスタートモードのモードを選択設定する。例えば、選択設定するための閾値を「４」とした場合、図に示すように、受付頻度が「７」である時間帯については、制御部１はモード「１」を設定する。一方、受付頻度が「２」、「３」である時間帯については、制御部１はモード「２」を設定する。
【００３９】
また、制御部１は、モードテーブルに記録された操作指示の受付日時に基づいて、１カ月以上前に受け付けた操作指示を除外して受付頻度を更新する。これにより、過去１カ月間の最新の使用状況を反映してモード設定を行う。
【００４０】
次に本発明に係るＤＶＤレコーダ１００の消費電力制御の動作について説明する。図６はモード設定の処理手順を示すフローチャートである。制御部１は、クイックスタートモードの初期設定要求があるか否かを判定し（Ｓ１１）、初期設定の要求がある場合（Ｓ１１でＹＥＳ）、モードテーブルを初期化すべく、すべての曜日、時間帯の受付頻度を「０」に設定し（Ｓ１２）、すべての曜日、時間帯のモードを「０」（非クイックスタートモード、すなわち、省電力モード）に設定する（Ｓ１３）。なお、この場合、受付日時も「０」に設定する。
【００４１】
制御部１は、電源オンの操作があるか否かを判定し（Ｓ１４）、電源オン操作がない場合（Ｓ１４でＮＯ）、ステップＳ１４の処理を続け、電源オン操作があるまで待機する。初期設定の要求がない場合（Ｓ１１でＮＯ）、制御部１は、ステップＳ１４以降の処理を続ける。電源オンの操作がある場合（Ｓ１４でＹＥＳ）、制御部１は、現在の曜日、日時を取得し（Ｓ１５）、取得した曜日、日時に対応するモードテーブルの曜日、時間帯の受付頻度に「１」を加算する（Ｓ１６）。なお、この場合、制御部１は、電源オン操作を受け付けた受付日時も合わせてモードテーブルに記録する。
【００４２】
制御部１は、受付頻度が閾値より大きいか否かを判定し（Ｓ１７）、受付頻度が閾値より大きい場合（Ｓ１７でＹＥＳ）、クイックスタートモードのモード「１」を設定する（Ｓ１８）。受付頻度が閾値以下である場合（Ｓ１７でＮＯ）、制御部１は、クイックスタートモードのモード「２」を設定する（Ｓ１９）。
【００４３】
制御部１は、設定したモードテーブルを記憶部６に記憶する（Ｓ２０）。制御部１は、処理終了の要求があるか否かを判定し（Ｓ２１）、処理終了の要求がない場合（Ｓ２１でＮＯ）、ステップＳ１４以降の処理を続ける。処理終了の要求がある場合（Ｓ２１でＹＥＳ）、制御部１は処理を終了する。
【００４４】
図７はモードテーブル更新の処理手順を示すフローチャートである。制御部１は、モードテーブルの曜日、時間帯を日曜日の午前０時から検索する（Ｓ３１）。制御部１は、検索した時間帯に受付日時の記録があるか否かを判定し（Ｓ３２）、受付日時の記録がない場合（Ｓ３２でＮＯ）、ステップＳ３１の処理を続け、以降の時間帯、曜日に対して同様の処理を行う。
【００４５】
受付日時の記録がある場合（Ｓ３２でＹＥＳ）、制御部１は、現在日時と受付日時とを比較する（Ｓ３３）。なお、ある時間帯に受付日時の記録が複数ある場合（すなわち、受付頻度が２以上である場合）、夫々の受付日時に対して現在日時と比較する。
【００４６】
制御部１は、受付日時が現在日時より１カ月以上前であるか否かを判定し（Ｓ３４）、１カ月以上前である場合（Ｓ３４でＹＥＳ）、受付頻度から１カ月以上前である受付日時の数だけ減算して、受付頻度を更新する（Ｓ３５）。
【００４７】
制御部１は、処理終了の要求があるか否かを判定し（Ｓ３６）、処理終了の要求がない場合（Ｓ３６でＮＯ）、ステップＳ３１以降の処理を続ける。処理終了の要求がある場合（Ｓ３６でＹＥＳ）、制御部１は処理を終了する。一方、受付日時が現在日時より１カ月以上前でない場合（Ｓ３４でＮＯ）、制御部１は、ステップＳ３６以降の処理を続ける。
【００４８】
図８は電力供給の処理手順を示すフローチャートである。制御部１は、現在の曜日、日時を取得し（Ｓ４１）、モードテーブルにアクセスして、取得した曜日、日時に対応する時間帯のクイックスタートモードを判定する（Ｓ４２）。
【００４９】
モードが「０」である場合（Ｓ４２で「０」）、制御部１は、ＤＶＤ、ＨＤＤ、ＣＰＵ、ファン、及びチューナ用の電源をオフにする（Ｓ４３）。
【００５０】
モードが「１」である場合（Ｓ４２で「１」）、制御部１は、ＤＶＤ用の電源をオフにし、ＨＤＤ、ＣＰＵ、ファン、及びチューナ用の電源をオンにする（Ｓ４４）。
【００５１】
モードが「２」である場合（Ｓ４２で「２」）、制御部１は、ＤＶＤ、ＨＤＤ用の電源をオフにし、ＣＰＵ、ファン、及びチューナ用の電源をオンにする（Ｓ４５）。
【００５２】
制御部１は、処理終了の要求があるか否かを判定し（Ｓ４６）、処理終了の要求がない場合（Ｓ４６でＮＯ）、ステップＳ４１以降の処理を続ける。処理終了の要求がある場合（Ｓ４６でＹＥＳ）、制御部１は処理を終了する。
【００５３】
以上説明したように、利用者の使用頻度が高い曜日、時間帯の場合、クイックスタートモードのモードを「１」に設定し、ＨＤＤ用の電源を予めオンにしておくことにより、例えば、録画ボタンを操作することにより、番組のＨＤＤへの録画を瞬時に行うことができ、番組のシーンを逃すことなく録画することができる。
【００５４】
また、利用者の使用頻度がそれほど高くない曜日、時間帯の場合、クイックスタートモードのモードを「２」に設定し、ＤＶＤ、ＨＤＤ用の電源を予めオフにしておくとともに、ＣＰＵ、チューナ、ファンなどの電源をオンにしておくことにより、ＤＶＤレコーダ全体の起動時間を短縮しつつ、消費電力を抑えることができる。
【００５５】
また、利用者の使用頻度がない曜日、時間帯の場合、モードを「０」（非クイックスタートモード、省電力モード）に設定し、ＤＶＤ、ＨＤＤ、ＣＰＵ、チューナ、ファンなどの電源をオフにしておくことにより、ＤＶＤレコーダ全体の消費電力を抑えることができる。
【００５６】
上述の実施の形態においては、電源オンの操作指示に基づいて、所定の時間帯のモード設定を行う構成であったが、これに限定されるものではなく、電源オフの操作指示に基づいて、所定の時間帯のモード設定を行うこともでき、また、他の操作指示を用いてもよい。
【００５７】
図９はクイックスタートモードの他の設定例を示す説明図である。図において、横軸は１日の時間帯を０〜２４時で示している。図９（ａ）に示すように、初期状態においては、１日２４時間すべての時間帯は、非クイックスタートモード、すなわち省電力モードに設定してある。
【００５８】
利用者により、例えば、２１時に電源オフの操作がなされた場合、制御部１は、電源オフの操作を受け付けた時刻から１時間前までの時間帯、すなわち、２０時から２１時までの時間帯をクイックスタートモードに設定する（図９（ｂ））。これにより、ＤＶＤレコーダ１００は、毎日２０時になった時点でクイックスタートモードに移行し、２１時になった時点で省電力モードに移行する。
【００５９】
また、利用者により、例えば、２２時３０分に電源オフの操作がなされた場合、制御部１は、２１時３０分から２２時３０分までの時間帯をクイックスタートモードに設定する（図９（ｃ））。これにより、ＤＶＤレコーダ１００は、毎日２０時になった時点でクイックスタートモードに移行し、２１時になった時点で省電力モードに移行し、２１時３０分になった時点で再度クイックスタートモードに移行し、２２時３０分になった時点で再度省電力モードに移行する。
【００６０】
また、利用者により、例えば、２３時３０分に電源オフの操作がなされた場合、制御部１は、２２時３０分から２３時３０分までの時間帯をクイックスタートモードに設定する（図９（ｄ））。これにより、ＤＶＤレコーダ１００は、毎日２０時になった時点でクイックスタートモードに移行し、２１時になった時点で省電力モードに移行し、２１時３０分になった時点で再度クイックスタートモードに移行し、２３時３０分になった時点で再度省電力モードに移行する。以下、同様にしてクイックスタートモードの設定が行われ、利用者が使用する時間帯に合わせてクイックスタートモードを設定するとともに、利用者が使用しない時間帯は省電力モードに設定して消費電力を低減する。
【００６１】
上述の実施の形態では、ＤＶＤレコーダを例として説明したが、ＤＶＤレコーダに限定されるものではなく、録画機能を内蔵したテレビ、チューナを内蔵したパーソナルコンピュータ、携帯電話機、音楽再生装置、ノート型パーソナルコンピュータなど、いずれの電気機器にも本発明を適用することが可能である。
【００６２】
上述の実施の形態では、個別に電力供給可能な機能部品として、ＤＶＤ、ＨＤＤ、ＣＰＵ、ファン、チューナなどを用いて説明したが、機能部品は、これらに限定されるものではなく、本発明が適用される電気機器に応じて、個別に電力供給可能な機能部品であって、クイックスタートモード及び省電力モードを備えることにより、起動時間及び消費電力という観点で利用者の利便性が向上するものであれば、いずれの構成であってもよい。
【００６３】
上述の実施の形態では、モード設定の時間帯として、１時間を単位として設定する構成であったが、これに限定されるものではなく、３０分単位など他の時間帯であってもよい。
【００６４】
上述の実施の形態では、１カ月以上経過した操作指示は、除外して受付頻度を更新する構成であったが、これに限定されるものではなく、２カ月、半月、１週間など他の期間を用いてもよい。
【００６５】
上述の実施の形態では、電源オンの操作を受け付けた受付時刻の前後３０分をクイックスタートモードに設定する構成であったが、これに限定されるものではなく、受付時刻の前後１５分間、又は受付時刻の前後１時間などであってもよい。また、受付時刻の前１５分、後４５分として合計で１時間としてもよい。
【００６６】
上述の実施の形態では、電源オンの操作を受け付けた受付時刻に基づいて、クイックスタートモードを設定する構成であったが、これに限定されるものではなく、予め５分、又は１０分などの間隔で１日２４時間を区切っておき、電源オンの操作を受け付けた時刻が、予め区切られたどの時刻に近いかにより、受付時刻を設定することもできる。これにより、受付時刻が予め定められた数に限定されるため、利用者の使用状況の精度を低下させることなく、制御部１で行う処理労力を低減することが可能となる。
【００６７】
上述の実施の形態では、１カ月以上経過した操作指示は、除外して受付頻度を更新する構成であったが、これに限定されるものではなく、例えば、制御部１が、所定の期間（例えば、１週間、２週間など）、モードテーブルに記録された時間帯で操作指示を受け付けていない場合（所定期間、受付履歴がない場合）、その時間帯を非クイックスタートモード（省電力モード）にするようにしてもよい。
【符号の説明】
【００６８】
１  制御部
２  操作部
３  リモコン受光部
４  タイマ
５  ＲＡＭ
６  記憶部
７  電源部
８  ＣＰＵ
９  ＤＶＤ
１０  ＨＤＤ
１１  ファン
１２  チューナ
【図１】
2010045972.tif 000003
【図２】
2010045972.tif 000004
【図３】
2010045972.tif 000005
【図４】
2010045972.tif 000006
【図５】
2010045972.tif 000007
【図６】
2010045972.tif 000008
【図７】
2010045972.tif 000009
【図８】
2010045972.tif 000010
【図９】
2010045972.tif 000011